(57)【特許請求の範囲】
【請求項１】
表面の少なくとも一部がコバルトを含む金属からなる基板の洗浄に使用される洗浄液であって、
フッ化水素酸（Ａ）、テトラゾール化合物（Ｂ）、及び水（Ｃ）を含有する洗浄液。
【請求項２】
前記テトラゾール化合物（Ｂ）が、下記式（Ｂ１）：
【化１】
0006681750.tif 000015
（式（Ｂ１）中、Ｒ１は、水素原子、又は有機基であり、Ｒ２は水素原子、水酸基、メルカプト基、アミノ基、又は有機基である。）
で表される化合物である、請求項１に記載の洗浄液。
【請求項３】
前記Ｒ１が水素原子である、請求項２に記載の洗浄液。
【請求項４】
前記テトラゾール化合物（Ｂ）以外の塩基性化合物（Ｄ）を含有する、請求項１〜３のいずれか１項に記載の洗浄液。
【請求項５】
水溶性有機溶剤（Ｅ）を含有する請求項１〜４のいずれか１項に記載の洗浄液。
【請求項６】
請求項１〜５のいずれか１項に記載の洗浄液を用いて基板を洗浄する方法であって、
前記基板の表面の少なくとも一部がコバルトを含む金属からなる、方法。
【発明の詳細な説明】
【技術分野】
【０００１】
本発明は、洗浄液、及びこれを用いる洗浄方法に関する。
【背景技術】
【０００２】
ＩＣ、ＬＳＩ等の半導体素子や液晶パネル等の表示素子を製造する際には、まず、シリコンウェハ、ガラス等の基板上にＣＶＤ蒸着された金属膜やＳｉＯ２膜等の絶縁膜を形成する。次に、金属膜や絶縁膜上に、フォトレジストパターンやメタルハードマスクを形成する。そして、このフォトレジストパターンやハードマスクをマスクとして基板をドライエッチング処理し、微細回路を形成する。次いで、アッシングを行った後、洗浄液を用いてフォトレジストパターンの残渣物及びハードマスクの残渣物を洗浄除去する。
【０００３】
金属膜からなるかかる微細回路を備える素子について、ますます回路の微細化が進んでいる。微細回路を形成する際の金属膜の材料としては銅が利用されることが多かった。しかし、回路のさらなる微細化を行う場合、銅膜からなる微細回路ではエレクトロマイグレーションが生じやすい問題がある。
このため、極微細な回路を形成する場合、エレクトロマイグレーションを防ぐ目的で、コバルトを含む合金やコバルトで回路表面を被覆することが提案されている。
【０００４】
他方で、フォトレジストパターンの残渣物及びハードマスクの残渣物を洗浄除去するために使用し得る洗浄液には、これらの残渣物を効果的に洗浄除去できることに加えて、金属に対する防食性に優れることが望まれている。このような洗浄液については、フッ化水素酸及びそのカウンターアミンとしてアンモニアを用いた化合物（特許文献１〜３を参照）や、フッ化水素酸及びそのカウンターアミンとして１，８−ジアザビシクロ［５．４．０］ウンデセン−７を用いた化合物（特許文献４を参照）等を用いることが提案されている。
【先行技術文献】
【特許文献】
【０００５】
【特許文献１】特開２００１−８３７１３号公報
【特許文献２】特開平９−１９７６８１号公報
【特許文献３】特開２０００−４７４０１号公報
【特許文献４】特開２０００−１８１０８３号公報
【発明の概要】
【発明が解決しようとする課題】
【０００６】
しかしながら、特許文献１〜４に記載の洗浄液は、銅等の金属に対しては高い防食性能を奏するものの、コバルトに対して必ずしも高い防食性能を示すものではない。
【０００７】
本発明は、上記の課題に鑑みてなされたものであり、フォトレジストパターンの残渣物や、エッチング残渣物の除去等に用いられる洗浄液であって、コバルトを含む金属に対する防食性に優れる洗浄液、及びこれを用いる洗浄方法を提供することを目的とする。
【課題を解決するための手段】
【０００８】
本発明者らは、洗浄液に、フッ化水素酸（Ａ）、テトラゾール化合物（Ｂ）、及び水（Ｃ）を含有させることにより上記課題を解決できることを見出し、本発明を完成するに至った。より具体的には、本発明は、以下のようなものを提供する。
【０００９】
本発明の第一の態様は、フッ化水素酸（Ａ）、テトラゾール化合物（Ｂ）、及び水（Ｃ）を含有する洗浄液である。
【００１０】
本発明の第二の態様は、第一の態様にかかる洗浄液を用いて基板を洗浄する方法である。
【発明の効果】
【００１１】
本発明によれば、フォトレジストパターンの残渣物や、エッチング残渣物の除去等に用いられる洗浄液であって、コバルトを含む金属に対する防食性に優れる洗浄液、及びこれを用いる洗浄方法を提供することができる。
【発明を実施するための形態】
【００１２】
≪洗浄液≫
洗浄液は、フッ化水素酸（Ａ）と、テトラゾール化合物（Ｂ）と、水（Ｃ）とを含有する。また、洗浄液は、テトラゾール化合物（Ｂ）以外の塩基性化合物（Ｄ）、水溶性有機溶剤（Ｅ）等を含んでいてもよい。以下、本発明に係る洗浄液に含有される各成分について詳細に説明する。
【００１３】
＜フッ化水素酸（Ａ）＞
洗浄液は、フッ化水素酸を必須に含有する。
フッ化水素酸の含有量は、洗浄液中、０．００１〜０．５質量％が好ましく、０．０８〜０．３２質量％がより好ましい。このような範囲とすることにより、フォトレジストパターンの残渣物やエッチング残渣物の洗浄除去性と、コバルトを含む金属に対する防食性とのバランスをより効果的にとることができる。
【００１４】
＜テトラゾール化合物（Ｂ）＞
洗浄液は、テトラゾール化合物（Ｂ）を必須に含有する。洗浄液が、テトラゾール化合物（Ｂ）を含むことによって、洗浄液のコバルトを含む金属に対する防食性が顕著に高められる。
テトラゾール化合物（Ｂ）の種類は、テトラゾール骨格を含む化合物であれば特に限定されない。
テトラゾール化合物（Ｂ）は、テトラゾール環と、他の環とが縮合した縮合環を含んでいてもよい。この場合、テトラゾール環と、他の環とは、テトラゾール環の１位の窒素原子と５位の炭素原子との間の単結合を共有する。
また、テトラゾール化合物（Ｂ）は、１分子中に２以上のテトラゾール環を含んでいてもよい。
【００１５】
テトラゾール化合物（Ｂ）の分子量も特に限定されない。テトラゾール骨格を含む高分子化合物としては、例えば、エチレン性不飽和二重結合を含むテトラゾール化合物の単独重合体、又は共重合体が挙げられる。共重合体におけるコモノマーとしては、一例として、（メタ）アクリル酸、（メタ）アクリル酸メチル等の（メタ）アクリル酸エステル、及びスチレン等が挙げられる。
【００１６】
テトラゾール化合物（Ｂ）としては、下式（Ｂ１）で表される化合物が好ましい。
【化１】
0006681750.tif 000002
（式（Ｂ１）中、Ｒ１は、水素原子、又は有機基であり、Ｒ２は水素原子、水酸基、メルカプト基、アミノ基、又は有機基である。）
【００１７】
Ｒ１及びＲ２における有機基としては、炭素原子を含み、一般に有機基と認識されている基であれば特に限定されない。
有機基はヘテロ原子を含んでいてもよい。当該ヘテロ原子としては、酸素原子、窒素原子、硫黄原子、リン原子、ケイ素原子、及びハロゲン原子等が挙げられるが、これらに限定されない。
【００１８】
Ｒ１における、有機基の好適な例としては、アルキル基、アルケニル基、シクロアルキル基、シクロアルケニル基、アリール基、及びアラルキル基等が挙げられる。
これらの有機基は、当該有機基中にヘテロ原子等の炭化水素基以外の結合や置換基を含んでいてもよい。また、有機基は、直鎖状、分岐鎖状、環状、及びこれらの構造の組み合わせのいずれでもよい。
【００１９】
Ｒ１がアルキル基又はアルケニル基である場合、当該アルキル又はアルケニル基は、直鎖状でも分岐鎖状でもよい。アルキル基の炭素原子数は特に限定されないが、１〜８が好ましく、１〜４がより好ましい。アルケニル基の炭素原子数は特に限定されないが、２〜８が好ましく、２〜４がより好ましい。
好ましいアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、ｎ−ヘキシル基、ｎ−ヘプチル基、ｎ−オクチル基、及び２−エチル−ｎ−ヘキシル基等が挙げられる。好ましいアルケニル基の具体例としては、ビニル基、及びアリル基等が挙げられる。
【００２０】
Ｒ１がシクロアルキル基である場合、当該シクロアルキル基の炭素原子数は特に限定されない。シクロアルキル基の炭素原子数は、３〜１０が好ましく、４〜８がより好ましい。
シクロアルキル基の好適な例としては、シクロブチル基、シクロペンチル基、シクロヘキシル基、シクロヘプチル基、及びシクロオクチル基が挙げられる。
Ｒ１がシクロアルケニル基である場合の好適な例としては、シクロアルキル基について例示した好ましい基に対応するシクロアルケニル基が挙げられる。
【００２１】
Ｒ１がアラルキル基である場合、当該アラルキル基に含まれるアリール基は、芳香族炭化水素基であってもよく、芳香族複素環基であってもよく、芳香族炭化水素基であるのが好ましい。アラルキル基の炭素原子数は、７〜２０が好ましく、７〜１２がより好ましい。
アラルキル基の好適な例としては、ベンジル基、フェネチル基、α−ナフチルメチル基、及びβ−ナフチルメチル基等が挙げられる。
【００２２】
以上説明した、アルキル基、アルケニル基、シクロアルキル基、シクロアルケニル基、及びアラルキル基は置換基を有してもよい。当該置換基の種類は、本発明の目的を阻害しない範囲で特に限定されない。
【００２３】
好ましい置換基としては、ハロゲン原子、水酸基、メルカプト基、スルフィド基、シアノ基、イソシアノ基、シアナト基、イソシアナト基、チオシアナト基、イソチオシアナト基、シリル基、シラノール基、アルコキシ基、アルコキシカルボニル基、アミノ基、モノアルキルアミノ基、ジアルキルアミノ基、モノアリールアミノ基、ジアリールアミノ基、カルバモイル基、チオカルバモイル基、ニトロ基、ニトロソ基、カルボキシラート基、アシル基、アシルオキシ基、スルフィノ基、スルホナト基、ホスフィノ基、ホスフィニル基、ホスホナト基、アルキルエーテル基、アルケニルエーテル基、アルキルチオエーテル基、アルケニルチオエーテル基、アリールエーテル基、アリールチオエーテル基等が挙げられる。
【００２４】
これらの置換基が、モノアルキルアミノ基、ジアルキルアミノ基、モノアリールアミノ基、又はジアリールアミノ基である場合、これらの基に含まれるアルキル基及びアリール基の好適な例は、Ｒ１がアルキル基、又はアリール基である場合の好適な例と同様である。
【００２５】
これらの置換基がアシル基、又はアシルオキシ基である場合、当該アシル基、又は当該アシルオキシ基において、カルボニル基に結合する基は、脂肪族基であっても、芳香族基であっても、脂肪族基と芳香族基とを組み合わせた基であってもよい。
アシル基、又はアシルオキシ基の炭素原子数は特に限定されないが、２〜１５が好ましく、２〜１０がより好ましい。
置換基としてのアシル基の好適な例としては、アセチル基、プロパノイル基、ブタノイル基、ベンゾイル基、α−ナフトイル基、及びβ−ナフトイル基が挙げられる。
置換基としてのアシルオキシ基の好適な例としては、アセチルオキシ基、プロパノイルオキシ基、ブタノイルオキシ基、ベンゾイルオキシ基、α−ナフトイルオキシ基、及びβ−ナフトイルオキシ基が挙げられる。
【００２６】
これらの置換基が、アルキルエーテル基、アルケニルエーテル基、アルキルチオエーテル基、アルケニルチオエーテル基、アリールエーテル基、又はアリールチオエーテル基である場合、これらの基に含まれるアルキル、アルケニル基、及びアリール基の好適な例は、Ｒ１がアルキル基、アルケニル基である場合の好適な例と同様である。
【００２７】
Ｒ２における、有機基の好適な例としては、アルキル基、アルケニル基、シクロアルキル基、シクロアルケニル基、アリール基、アラルキル基、モノアルキルアミノ基、ジアルキルアミノ基、モノアリールアミノ基、ジアリールアミノ基、アシル基、アシルオキシ基、アルキルエーテル基、アルケニルエーテル基、アルキルチオエーテル基、アルケニルチオエーテル基、アリールエーテル基、及びアリールチオエーテル基等挙げられる。
【００２８】
Ｒ２における有機基が、アルキル基、アルケニル基、シクロアルキル基、シクロアルケニル基、アリール基、又はアラルキル基である場合、これらの有機基の好適な例は、Ｒ１と同様である。
Ｒ２における有機基が、モノアルキルアミノ基、ジアルキルアミノ基、モノアリールアミノ基、ジアリールアミノ基、アシル基、アシルオキシ基、アルキルエーテル基、アルケニルエーテル基、アルキルチオエーテル基、アルケニルチオエーテル基、アリールエーテル基、又はアリールチオエーテル基である場合、これらの有機基の好適な例は、Ｒ１について、アルキル基、アルケニル基、シクロアルキル基、シクロアルケニル基、及びアラルキル基の置換基について説明した基と同様である。
【００２９】
なお、Ｒ２が、水酸基又はメルカプト基である場合、式（Ｂ１）で表されるテトラゾール化合物は、下式の互変異性体であってもよい。
【化２】
0006681750.tif 000003
【００３０】
コバルトを含む金属に対する防食効果に特に優れる洗浄液を得やすいことから、式（Ｂ１）で表されるイミダゾール化合物の中では、下式（Ｂ２）で表されるイミダゾール化合物が好ましい。
【化３】
0006681750.tif 000004
（式（Ｂ２）中、Ｒ２は、式（Ｂ１）と同義である。）
【００３１】
式（Ｂ１）で表されるテトラゾール化合物の好適な具体例としては、以下の化合物が挙げられる。
【化４】
0006681750.tif 000005
【００３２】
以上説明したテトラゾール化合物（Ｂ）の洗浄液における使用量は特に限定されない。洗浄液中のテトラゾール化合物（Ｂ）の含有量は、０．０１〜１０質量％が好ましく、０．１〜５質量％がより好ましく、０．２〜１質量％が特に好ましい。
かかる範囲内の量のテトラゾール化合物（Ｂ）を用いると、種々の残渣物に対する優れた洗浄効果と、コバルトを含む金属対する優れた防食効果とを兼ね備える洗浄液を得やすい。
【００３３】
＜水（Ｃ）＞
本発明に係る洗浄液は、水（Ｃ）を必須に含有する。
水の含有量は、洗浄液中、１．０〜８０質量％が好ましく、１５〜４０質量％がより好ましい。
【００３４】
＜塩基性化合物（Ｄ）＞
洗浄液は、テトラゾール化合物（Ｂ）以外の塩基性化合物（Ｄ）を含有していてもよい。
塩基性化合物（Ｄ）の種類は特に限定されず、従来より、フォトレジスト等の残渣物の洗浄に用いられる洗浄液に配合される塩基性化合物から適宜選択される。
塩基性化合物（Ｄ）としては、含窒素塩基性化合物が好ましい。
【００３５】
塩基性化合物（Ｄ）の好適な具体例としては、テトラメチルアンモニウムヒドロキシド、テトラエチルアンモニウムヒドロキシド、テトラプロピルアンモニウムヒドロキシド、テトラブチルアンモニウムヒドロキシド、メチルトリプロピルアンモニウムヒドロキシド、メチルトリブチルアンモニウムヒドロキシド、コリン等の第４級アンモニウム水酸化物；ヘキサメチルジシラザン、ヘキサエチルジシラザン等のシラザン化合物；トリメチルシリルジメチルアミン、トリメチルシリルジエチルアミン等のアミノシラン化合物；ヒドロキシルアミン、ジエチルヒドロキシルアミン等のヒドロキシルアミン化合物が挙げられる。
また、以下の有機アミン類も塩基性化合物（Ｄ）として好適である。有機アミン類の具体例としては、メトキシメチルアミン、メトキシエチルアミン、メトキシプロピルアミン、メトキシブチルアミン、エトキシメチルアミン、エトキシエチルアミン、エトキシプロピルアミン、エトキシブチルアミン、プロポキシメチルアミン、プロポキシエチルアミン、プロポキシプロピルアミン、プロポキシブチルアミン、ブトキシメチルアミン、ブトキシエチルアミン、ブトキシプロピルアミン、ブトキシブチルアミン、メチルアミン、エチルアミン、プロピルアミン、ブチルアミン、Ｎ，Ｎ−ジメチルアミン、Ｎ，Ｎ−ジエチルアミン、Ｎ，Ｎ−ジプロピルアミン、Ｎ，Ｎ−ジブチルアミン、トリメチルアミン、トリエチルアミン、トリプロピルアミン、トリブチルアミン、ジメチルアミノプロピルアミン、２−エチルヘキシルアミン、テトラヒドロフルフリルアミン、テトラメチルエチレンジアミン、テトラエチルエチレンジアミン、テトラプロピルエチレンジアミン、及びテトラブチルエチレンジアミン、メチルアミノブチルアミン、エチルアミノブチルアミン、プロピルアミノブチルアミン、ブチルアミノブチルアミン、ピリジン、ピロール、ピペラジン、ピロリジン、ピペリジン、ピコリン、モルホリン、メチルモルホリン、ジアザビシクロオクタン、ジアザビシクロノナン、ジアザビシクロウンデセン、及びヒドラジン等である。
【００３６】
また、下記式（ｄ−１）で表される化合物も、塩基性化合物（Ｄ）として好ましい。
【化５】
0006681750.tif 000006
（式（ｄ−１）中、Ｒ１ｄからＲ５ｄは、それぞれ独立に水素原子、又は水酸基、カルボキシル基、アミノ基、若しくはホスホン酸基を有していてもよい炭素原子数１〜６のアルキル基を示し、Ｒ１ｄからＲ５ｄの少なくとも１つは水素原子である。Ｒ１ｄからＲ４ｄのうちいずれか１つとＲ５ｄとが相互に結合して環構造を形成してもよい。Ｙ１ｄ及びＹ２ｄは、それぞれ独立に炭素原子数１〜３のアルキレン基を示し、ｎは０〜５の整数を示す。ｎが２以上のとき、複数のＲ５ｄ同士及び複数のＹ１ｄ同士は互いに同一であっても異なっていてもよく、Ｒ５ｄ同士が相互に結合して環構造を形成してもよい。）
【００３７】
Ｒ１ｄからＲ５ｄがとり得る炭素原子数１〜６のアルキル基は、直鎖状又は分岐鎖状のいずれでもよく、直鎖状が好ましい。具体例としては、メチル基、エチル基、ｎ−プロピル基、ｎ−ブチル基、ｎ−ペンチル基、ｎ−ヘキシル基等が挙げられる。これらの中でも、エチル基が最も好ましい。
このアルキル基は、水酸基、カルボキシル基、アミノ基、又はホスホン酸基を有していてもよい。そのような具体例としては、２−ヒドロキシエチル基、２−カルボキシエチル基、２−アミノエチル基、２−ホスホン酸エチル基等が挙げられる。
【００３８】
Ｒ１ｄからＲ４ｄのうちいずれか１つとＲ５ｄとが相互に結合して形成し得る環構造、あるいはＲ５ｄ同士が相互に結合して形成し得る環構造としては、ピペラジン環等が挙げられる。
【００３９】
Ｙ１ｄ及びＹ２ｄがとり得る炭素原子数１〜３のアルキレン基は、直鎖状又は分岐鎖状のいずれでもよく、直鎖状が好ましい。具体例としては、メチレン基、エチレン基、プロピレン基等が挙げられる。これらの中でも、エチレン基が最も好ましい。
【００４０】
ｎは０〜５の整数を示し、０〜２の整数がより好ましい。
【００４１】
上記式（ｄ−１）で表される塩基性化合物の具体例としては、エチレンジアミン、Ｎ−（２−アミノエチル）−１，２−エタンジアミン（＝ジエチレントリアミン）、Ｎ，Ｎ’−ビス（２−アミノエチル）−１，２−エタンジアミン（＝トリエチレンテトラミン）、トリス（２−アミノエチル）アミン、Ｎ，Ｎ’−ビス（２−アミノエチル）ピペラジン、Ｎ−［（２−アミノエチル）−２−アミノエチル］ピペラジン、Ｎ−（２−アミノエチル）−Ｎ’−｛２−［（２−アミノエチル）アミノ］エチル｝−１，２−エタンジアミン（＝テトラエチレンペンタミン）、４−（２−アミノエチル）−Ｎ−（２−アミノエチル）−Ｎ’−｛２−［（２−アミノエチル）アミノ］エチル｝−１，２−エタンジアミン、１−（２−アミノエチル）−４−｛［（２−アミノエチル）アミノ］エチル｝ピペラジン、１−｛２−［［２−［（２−アミノエチル）アミノ］エチル］アミノ］エチル｝ピペラジン、１−ピペラジンエタンアミン、２−［（２−アミノエチル）アミノ］エタノール等が挙げられる。
【００４２】
上記式（ｄ−１）で表される塩基性化合物の中でも、下記一般式（ｄ−２）で表される塩基性化合物が好ましい。
【００４３】
【化６】
0006681750.tif 000007
（式（ｄ−２）中、Ｙ１ｄ、Ｙ２ｄ、及びｎは、式（ｄ−１）と同義である。）
【００４４】
式（ｄ−２）で表される塩基性化合物の具体例としては、エチレンジアミン、Ｎ−（２−アミノエチル）−１，２−エタンジアミン（＝ジエチレントリアミン）、Ｎ，Ｎ’−ビス（２−アミノエチル）−１，２−エタンジアミン（＝トリエチレンテトラミン）、テトラエチレンペンタミン、ペンタエチレンヘキサミン、ジメチレントリアミン、トリメチレンテトラミン等が挙げられる。
【００４５】
これらの中でも、Ｎ−（２−アミノエチル）−１，２−エタンジアミン（＝ジエチレントリアミン）、Ｎ，Ｎ’−ビス（２−アミノエチル）−１，２−エタンジアミン（＝トリエチレンテトラミン）が、金属に対する防食性が特に高い洗浄液を得やすい点で特に好ましい。
【００４６】
以上説明した塩基性化合物（Ｄ）は、単独で用いてもよく、２種以上を組み合わせて用いてもよい。
【００４７】
塩基性化合物（Ｄ）の含有量は、フッ化水素酸の含有量に応じて適宜調整できるが、洗浄液中、０．０１〜２．００質量％が好ましく、０．０１〜１．２４質量％がより好ましい。種々の残渣物に対する洗浄除去性と、コバルトを含む金属に対する防食性とのバランスをより効果的にとりやすい。
【００４８】
塩基性化合物（Ｄ）を加えるか、加えない状態の洗浄液のｐＨは、コバルトに対する防食効果の点から、４〜９が好ましい。
なお、洗浄液のｐＨは、２５℃で測定された値である。
【００４９】
＜水溶性有機溶剤（Ｅ）＞
洗浄液は、水溶性有機溶剤（Ｅ）を含んでいてもよい。
かかる水溶性有機溶剤（Ｅ）の例としては、ジメチルスルホキシド等のスルホキシド類；ジメチルスルホン、ジエチルスルホン、ビス（２−ヒドロキシエチル）スルホン、テトラメチレンスルホン等のスルホン類；Ｎ，Ｎ−ジメチルホルムアミド、Ｎ−メチルホルムアミド、Ｎ，Ｎ−ジメチルアセトアミド、Ｎ−メチルアセトアミド、Ｎ，Ｎ−ジエチルアセトアミド等のアミド類；Ｎ−メチル−２−ピロリドン、Ｎ−エチル−２−ピロリドン、Ｎ−プロピル−２−ピロリドン、Ｎ−ヒドロキシメチル−２−ピロリドン、Ｎ−ヒドロキシエチル−２−ピロリドン等のラクタム類；１，３−ジメチル−２−イミダゾリジノン、１，３−ジエチル−２−イミダゾリジノン、１，３−ジイソプロピル−２−イミダゾリジノン等のイミダゾリジノン類；γ−ブチロラクトン、δ−バレロラクトン等のラクトン類；エチレングリコール、プロピレングリコール、エチレングリコールモノメチルエーテル、エチレングリコールモノエチルエーテル、エチレングリコールモノブチルエーテル、エチレングリコールモノメチルエーテルアセテート、エチレングリコールモノエチルエーテルアセテート、ジエチレングリコール、ジエチレングリコールモノメチルエーテル、ジエチレングリコールモノエチルエーテル、ジエチレングリコールモノブチルエーテル等の多価アルコール類及びその誘導体；等が挙げられる。
【００５０】
また、下記式（ｅ−１）で表される、Ｎ，Ｎ−ジアルキル脂肪酸アミドも、水溶性有機溶剤（Ｅ）として好ましい。洗浄液が、式（ｅ−１）で表される、Ｎ，Ｎ−ジアルキル脂肪酸アミドを含む場合、継続使用によってもエッチングレートが変化しにくい洗浄液を得やすい。
【００５１】
【化７】
0006681750.tif 000008
（一般式（ｅ−１）中、Ｒ１ｅはイソプロピル基、又は１−ヒドロキシ−１−メチルエチル基を示し、Ｒ２ｅ及びＲ３ｅは、それぞれ独立に炭素原子数１〜４のアルキル基を示す。）
【００５２】
一般式Ｒ２ｅ及びＲ３ｅは、それぞれ独立に炭素原子数１〜４のアルキル基である。かかるアルキル基は、直鎖状であっても分岐鎖状であってもよい。炭素原子数１〜４のアルキル基の具体例としては、メチル基、エチル基、ｎ−プロピル基、イソプロピル基、ｎ−ブチル基、ｓｅｃ−ブチル基、イソブチル基、及びｔｅｒｔ−ブチル基が挙げられる。これらのアルキル基の中では、メチル基及びエチル基が好ましい。
【００５３】
式（ｅ−１）で表されるＮ，Ｎ−ジアルキル脂肪酸アミドの具体例としては、Ｎ，Ｎ−ジメチルイソブチルアミド、Ｎ−エチル，Ｎ−メチルイソブチルアミド、Ｎ，Ｎ−ジエチルイソブチルアミド、２−ヒドロキシ−Ｎ，Ｎ，２−トリメチルプロパンアミド、Ｎ−エチル−２−ヒドロキシ−Ｎ，２−ジメチルプロパンアミド、及びＮ，Ｎ−ジエチル−２−ヒドロキシ−２−メチルプロパンアミド等が挙げられる。これらの中では、Ｎ，Ｎ−ジメチルイソブチルアミド、Ｎ−エチル，Ｎ−メチルイソブチルアミド、２−ヒドロキシ−Ｎ，Ｎ，２−トリメチルプロパンアミド、及びＮ−エチル−２−ヒドロキシ−Ｎ，２−ジメチルプロパンアミドが好ましく、特にＮ，Ｎ−ジメチルイソブチルアミド、及び２−ヒドロキシ−Ｎ，Ｎ，２−トリメチルプロパンアミドがより好ましい。
洗浄液は、水溶性有機溶剤（Ｅ）として、２種以上のＮ，Ｎ−ジアルキル脂肪酸アミドを組み合わせて含んでいてもよい。
【００５４】
さらに、下記式（ｅ−２）で表される、３−アルコキシ−３−メチル−１−ブタノールも、水溶性有機溶剤（Ｅ）として好ましい。３−アルコキシ−３−メチル−１−ブタノールは、特に残渣の除去性能に優れる。
【化８】
0006681750.tif 000009
（式中、Ｒ４ｅは炭素原子数１〜５のアルキル基を表す。）
【００５５】
式（ｅ−２）中、Ｒ４ｅが表す炭素原子数１〜５のアルキル基としては、例えば、メチル基、エチル基、ｎ−プロピル基、イソプロピル基、ｎ−ブチル基、イソブチル基、ｔ−ブチル基、ｎ−ペンチル基等が挙げられる。中でも、溶解力の観点から、炭素原子数１〜３のアルキル基が好ましく、メチル基又はエチル基がより好ましく、メチル基がさらに好ましい。
式（ｅ−２）で表される３−アルコキシ−３−メチル−１−ブタノールとしては、３−メトキシ−３−メチル−１−ブタノール（ＭＭＢ）が特に好ましい。
【００５６】
洗浄液中の水溶性有機溶剤（Ｅ）の含有量は、１．０〜９０質量％が好ましく、１０〜８０質量％がより好ましく、２０〜５０質量％が特に好ましい。
【００５７】
＜その他の成分＞
洗浄液は、さらに、テトラゾール化合物（Ｂ）以外の防食剤を含有していてもよい。
この防食剤としては、特に限定されず、従来公知の防食剤を用いることができるが、ベンゾトリアゾール系化合物やメルカプト基含有化合物が好ましい。
【００５８】
上記ベンゾトリアゾール系化合物としては、下記式（ｆ−１）で表される化合物を挙げることができる。
【００５９】
【化９】
0006681750.tif 000010
【００６０】
上記式（ｆ−１）中、Ｒ１ｆ、Ｒ２ｆは、それぞれ独立に水素原子、置換基を有していてもよい炭素原子数１〜１０の炭化水素基、カルボキシル基、アミノ基、水酸基、シアノ基、ホルミル基、スルホニルアルキル基、又はスルホ基を示し、Ｑは水素原子、水酸基、置換基を有していてもよい炭素原子数１〜１４の炭化水素基（ただし、当該炭化水素基はアミド結合又はエステル結合で中断されていてもよい）、又は下記一般式（ｆ−２）で表される基を示す。
【００６１】
【化１０】
0006681750.tif 000011
【００６２】
上記式（ｆ−２）中、Ｒ３ｆは炭素原子数１〜６のアルキレン基を示し、Ｒ４ｆ及びＲ５ｆは、それぞれ独立に水素原子、水酸基、又は炭素数１〜６のヒドロキシアルキル基若しくはアルコキシアルキル基を示す。
【００６３】
なお、上記式（ｆ−１）において、Ｒ１ｆ、Ｒ２ｆ、Ｑの各定義中、炭化水素基は、芳香族炭化水素基及び脂肪族炭化水素基のいずれでもよく、不飽和結合を有していてもよく、直鎖状、分岐鎖状、及び環状のいずれでもよい。芳香族炭化水素基としては、例えばフェニル基、ｐ−トリル基等が挙げられる。直鎖状の脂肪族炭化水素基としては、例えばメチル基、ｎ−プロピル基、ビニル基等が挙げられる。分岐鎖状の脂肪族炭化水素基としては、例えばイソブチル基、ｔｅｒｔ−ブチル基等が挙げられる。環状の脂肪族炭化水素基としては、例えばシクロペンチル基、シクロヘキシル基等が挙げられる。置換基を有する炭化水素基としては、例えばヒドロキシアルキル基、アルコキシアルキル基等が挙げられる。
【００６４】
また、上記式（ｆ−１）において、Ｑとしては、上記式（ｆ−２）で表される基であることが好ましい。特に上記式（ｆ−２）で表される基の中でも、Ｒ４ｆ及びＲ５ｆがそれぞれ独立に炭素原子数１〜６のヒドロキシアルキル基又はアルコキシアルキル基である基を選択することが好ましい。
【００６５】
さらに、Ｑは、上記式（ｆ−１）で表される化合物が水溶性を示すように選択されることが好ましい。具体的には、水素原子、炭素原子数１〜３のアルキル基（すなわち、メチル基、エチル基、プロピル基、イソプロピル基）、炭素原子数１〜３のヒドロキシアルキル基、水酸基等が好ましい。
【００６６】
ベンゾトリアゾール系化合物としては、具体的には、ベンゾトリアゾール、５，６−ジメチルベンゾトリアゾール、１−ヒドロキシベンゾトリアゾール、１−メチルベンゾトリアゾール、１−アミノベンゾトリアゾール、１−フェニルベンゾトリアゾール、１−ヒドロキシメチルベンゾトリアゾール、１−ベンゾトリアゾールカルボン酸メチル、５−ベンゾトリアゾールカルボン酸、１−メトキシ−ベンゾトリアゾール、１−（２，２−ジヒドロキシエチル）−ベンゾトリアゾール、１−（２，３−ジヒドロキシプロピル）ベンゾトリアゾール；「ＩＲＧＡＭＥＴ」シリーズとしてＢＡＳＦ社より市販されている、２，２’−｛［（４−メチル−１Ｈ−ベンゾトリアゾール−１−イル）メチル］イミノ｝ビスエタノール、２，２’−｛［（５−メチル−１Ｈ−ベンゾトリアゾール−１−イル）メチル］イミノ｝ビスエタノール、２，２’−｛［（４−メチル−１Ｈ−ベンゾトリアゾール−１−イル）メチル］イミノ｝ビスエタン、２，２’−｛［（４−メチル−１Ｈ−ベンゾトリアゾール−１−イル）メチル］イミノ｝ビスプロパン等が挙げられる。
これらの中でも、１−（２，３−ジヒドロキシプロピル）−ベンゾトリアゾール、２，２’−｛［（４−メチル−１Ｈ−ベンゾトリアゾール−１−イル）メチル］イミノ｝ビスエタノール、２，２’−｛［（５−メチル−１Ｈ−ベンゾトリアゾール−１−イル）メチル］イミノ｝ビスエタノール等が好ましい。
これらのベンゾトリアゾール化合物は、単独で用いてもよく、２種以上を組み合わせて用いてもよい。
【００６７】
上記メルカプト基含有化合物としては、メルカプト基に結合する炭素原子のα位、β位の少なくとも一方に、水酸基及び／又はカルボキシル基を有する化合物が好ましい。このような化合物として、具体的には、１−チオグリセロール、３−（２−アミノフェニルチオ）−２−ヒドロキシプロピルメルカプタン、３−（２−ヒドロキシエチルチオ）−２−ヒドロキシプロピルメルカプタン、２−メルカプトプロピオン酸、３−メルカプトプロピオン酸等が挙げられる。これらの中でも、１−チオグリセロールを用いることが特に好ましい。
これらのメルカプト基含有化合物は、単独で用いてもよく、２種以上を組み合わせて用いてもよい。
【００６８】
防食剤を含有する場合、その含有量は、洗浄液中、０．１〜１０質量％が好ましく、０．５〜５質量％がより好ましい。
【００６９】
また、本発明に係る洗浄液は、さらに、界面活性剤を含有していてもよい。
この界面活性剤としては、特に限定されず、従来公知の界面活性剤を用いることができるが、アセチレンアルコール系界面活性剤が好ましい。
【００７０】
界面活性剤を含有する場合、その含有量は、洗浄液中、０．０１〜５質量％が好ましく、０．０５〜２質量％がより好ましい。
【００７１】
洗浄液は、上記（Ａ）〜（Ｃ）成分を必須に含有することにより、フォトレジストパターンの残渣物や、エッチング残渣物を好適に洗浄できるとともに、コバルトを含む金属に対する防食性に優れる。
このため、以上説明した洗浄液は、基板の表面の少なくとも一部がコバルトを含む金属からなる場合の基板の洗浄に好適に使用される。
以上説明した洗浄液は、特に、コバルトを含む金属を用いて微細な金属配線パターンを形成する際に使用される洗浄液として、好適に使用される。
【００７２】
洗浄方法は、特に限定されず、浸漬法、スプレー法等が挙げられ、バッチ式又は枚葉式で処理を行うことができる。洗浄除去時間は、特に限定されるものではないが、通常、バッチ処理では１０〜３０分間程度、枚葉処理では０．５〜３分間程度である。本発明に係る洗浄液は枚葉処理で用いることが好ましい。洗浄液の温度は、特に限定されるものではないが、通常、２５〜７０℃程度である。
洗浄液による洗浄の後、純水や低級アルコール等を用いたリンス処理、及び乾燥処理を施してもよい。
【実施例】
【００７３】
以下、本発明の実施例を示し、本発明についてさらに詳細に説明するが、本発明は下記実施例に限定されるものではない。
【００７４】
〔実施例１〜５、及び比較例１〜８〕
（洗浄液の調製）
フッ化水素酸０．１質量％と、表１に記載の種類のテトラゾール化合物０．５質量％と、水溶性有機溶剤として３−メトキシ−３−メチル−１−ブタノール３０質量％と、塩基性化合物として表１に記載の量のテトラヒドロフルフリルアミンと、残部の水とを均一に混合して、各実施例の洗浄液を調製した。
比較例１の洗浄液については、テトラゾール化合物を用いないことの他は、実施例と同様に調製した。
また、比較例２〜８の洗浄液については、テトラゾール化合物０．５質量％に変えて、表１に記載の種類の複素環化合物０．５質量％を用いることの他は、実施例と同様に調製した。
各実施例、及び比較例の洗浄液の２５℃で測定したｐＨの値を表１に記す。
【００７５】
実施例では、テトラゾール化合物（Ｂ）として以下のＢ１〜Ｂ５を用いた。
【化１１】
0006681750.tif 000012
【００７６】
比較例では、テトラゾール化合物（Ｂ）に変わる複素環化合物として、以下のＢ６〜Ｂ１２を用いた。
【化１２】
0006681750.tif 000013
【００７７】
（コバルト防食性評価）
最外層として厚さ１００ｎｍのコバルト層を備える基板を防食性の評価に用いた。コバルト層は厚さ２０ｎｍのチタン層上に形成されている。
各実施例及び比較例の洗浄液に、５０℃で１５分間、基板を浸漬させた。浸漬後、基板表面を水にてリンスし、次いで、基板を窒素ブローにより乾燥させた。
乾燥後の基板の、コバルト層のシート抵抗値を４探針法にて測定して、浸漬後のコバルト層の膜厚（Å）を測定した。
浸漬前後のコバルト層の膜厚の変化から、コバルト層のエッチングレートを求めた。
エッチングレート（Å／ｍｉｎ．）の測定結果を表１に示す。
なお、比較例４及び５では、コバルト層の剥離が生じたため、エッチングレートを求めなかった。
【００７８】
（基板表面状態）
コバルト防食性評価における洗浄液浸漬後の、コバルト層について、白色の曇りの有無、コバルト層の剥離の有無を目視にて観察し、基板の表面状態を評価した。
監察結果を、表１に記す。
【００７９】
【表１】
0006681750.tif 000014
【００８０】
実施例、及び比較例より、テトラゾール化合物を含有する実施例の洗浄液を用いる場合、コバルトのエッチングが顕著によくされているのに対して、テトラゾール化合物以外の複素環化合物を含有するか、テトラゾール化合物もその他の複素環化合物も含有しない、比較例の洗浄液を用いる場合、コバルトが著しくエッチングされるか、コバルト層の状態に剥離等の悪影響が生じることが分かる。